(57)【要約】【課題】  コンテンツ取扱い装置（記録再生装置）の共有者の間で調和的に意思の疎通を図りながら取得したコンテンツを平等に享受し、管理することができるコンテンツ取扱い装置および方法を提供する。【解決手段】  コンテンツを記録し（１１１，１１２，１１３，１１４，１１５）、記録したコンテンツを選択的に再生し（１２３）、記録したコンテンツ毎にユーザの入力操作（１６１）に基づくテキストによるメッセージを対応させて記録し（１１５）、記録されている複数のコンテンツのうち一のものに対応して記録されているメッセージテキストを再生する（１２１，１２２，１２３，１２４，２００）。複数のユーザは、各自がメッセージ記録処理で記録したテキストによるメッセージを、これの再生処理で再生して判読し、お互いの状況等をメッセージに基づいて認識する。【選択図】  図１
2006287670.tif 000002
【特許請求の範囲】
【請求項１】
コンテンツに対する記録および再生並びにその他の所定の取扱い操作が可能なコンテンツ取扱い装置であって、適用された情報記録媒体にコンテンツを記録させるコンテンツ記録制御部と、当該情報記録媒体に記録されたコンテンツを選択的に再生するためのコンテンツ再生制御部と、記録されたコンテンツ毎にユーザの入力に基づくテキストによるメッセージを対応させて記録する操作を行うためのメッセージ記録操作部と、当該情報記録媒体に記録されている複数のコンテンツのうち取り扱う対象とする一のものを特定するコンテンツ特定操作によって特定された当該一のコンテンツに対応して記録されているメッセージテキストを再生する操作を行うためのメッセージ再生操作部とを備え、前記メッセージ記録操作部は同一のコンテンツに対して異なる時刻に各別のメッセージテキストを追記可能に該当する機能部を制御するものであり、前記メッセージ再生操作部は同一のコンテンツに対応して記録されている複数のメッセージテキストを同時に提示可能に該当する機能部を制御するものであることを特徴とするコンテンツ取扱い装置。
【請求項２】
前記メッセージ記録操作部は、適用された表示器の画面に、記録されたコンテンツ毎にメッセージテキストの書込み操作を含む取扱い操作の案内表示を行うように、且つ、該案内表示に対応して実行されるメッセージテキストの書込み操作に応答して当該書込み操作に係るメッセージテキストを当該情報記録媒体に記録するように該当する機能部を制御することを特徴とする請求項１に記載のコンテンツ取扱い装置。
【請求項３】
前記メッセージ記録操作部は、日本語の入力と変換を行うための日本語入力・変換部を備えていることを特徴とする請求項１に記載のコンテンツ取扱い装置。
【請求項４】
前記メッセージ記録操作部は、前記案内表示として、コンテンツ毎にメッセージテキストを書込む操作の案内表示と共に当該コンテンツの再生操作および消去操作の案内表示を行うように該当する機能部を制御することを特徴とする請求項２に記載のコンテンツ取扱い装置。
【請求項５】
前記メッセージ記録操作部は、前記案内表示として、コンテンツ毎にメッセージテキストを書込む操作の案内表示については、新規の書込み欄および追記用の書込み欄の案内表示を行うように該当する機能部を制御することを特徴とする請求項２に記載のコンテンツ取扱い装置。
【請求項６】
前記コンテンツ再生制御部は、適用された情報記録媒体に記録されている複数のコンテンツを一画面内に夫々代表的に表示すると共に、該夫々の代表的表示毎にメッセージテキストの有無を付帯表示するように該当する機能部を制御することを特徴とする請求項１に記載のコンテンツ取扱い装置。
【請求項７】
適用した情報記録媒体にコンテンツを記録するコンテンツ記録処理と、当該情報記録媒体に記録したコンテンツを選択的に再生するコンテンツ再生処理と、記録したコンテンツ毎にユーザの入力操作に基づくテキストによるメッセージを対応させて記録するメッセージ記録処理と、当該情報記録媒体に記録されている複数のコンテンツのうち取り扱う対象とする一のものを特定するコンテンツ特定操作によって特定された当該一のコンテンツに対応して記録されているメッセージテキストを再生するメッセージ再生処理と、の各処理を実行することを特徴とするコンテンツ取扱い方法。
【請求項８】
前記メッセージ記録処理では、同一のコンテンツに対して異なる時刻に各別のメッセージテキストを追記することを特徴とする請求項７に記載のコンテンツ取扱い方法。
【請求項９】
前記メッセージ再生処理では、同一のコンテンツに対応して記録されている複数のメッセージテキストを同時に提示することを特徴とする請求項７に記載のコンテンツ取扱い方法。
【請求項１０】
前記メッセージ記録処理では、適用された表示器の画面に、記録されたコンテンツ毎にメッセージテキストの書込み操作を含む取扱い操作の案内表示を行い、且つ、該案内表示に対応して実行されるメッセージテキストの書込み操作に応答して当該書込み操作に係るメッセージテキストを当該情報記録媒体に記録することを特徴とする請求項７に記載のコンテンツ取扱い方法。
【請求項１１】
前記メッセージ記録処理では、日本語の入力と変換を行うことを特徴とする請求項７に記載のコンテンツ取扱い方法。
【請求項１２】
前記メッセージ記録処理では、前記案内表示として、コンテンツ毎にメッセージテキストを書込む操作の案内表示と共に当該コンテンツの再生操作および消去操作の案内表示を行うことを特徴とする請求項１０に記載のコンテンツ取扱い方法。
【請求項１３】
前記メッセージ記録処理では、コンテンツ毎にメッセージテキストを書込む操作の前記案内表示として、新規の書込み欄および追記用の書込み欄の案内表示を行うことを特徴とする請求項１０に記載のコンテンツ取扱い方法。
【請求項１４】
前記コンテンツ再生処理では、適用された情報記録媒体に記録されている複数のコンテンツを一画面内に夫々代表的に表示すると共に、該夫々の代表的表示毎にメッセージテキストの有無を付帯表示することを特徴とする請求項７に記載のコンテンツ取扱い方法。
【請求項１５】
前記メッセージ記録処理では、リモートコントローラを用いて入力操作されたテキストによるメッセージを記録することを特徴とする請求項７に記載のコンテンツ取扱い方法。
【発明の詳細な説明】
【技術分野】
【０００１】
本発明は、例えば放送受信部で受信する等して取得される放送等のコンテンツを記録・再生可能なＨＤＤ搭載デジタルテレビ、或いは、ＨＤＤ／ＤＶＤレコーダー等のコンテンツ取扱い装置およびこの種の装置におけるコンテンツ取扱い方法に関する。
【背景技術】
【０００２】
近年、映像コンテンツを録画・再生可能なＨＤＤ搭載デジタルテレビ、ＨＤＤ／ＤＶＤレコーダー等のデジタル機器が家庭内で共有されることが少なくない。複数人で共有した場合、録画されたコンテンツが、視聴予定者は誰も既に視聴していて消去しても支障がない状態にあるものなのか、或いは、未だ視聴していない視聴予定者が残っていて消去してしまうと支障がある状態なのか判然とせず、このため、コンテンツが長期にわたり記録媒体上に残っていて録画可能容量を圧迫するといったことが生じる。
【０００３】
このような問題に着目して、記録しているコンテンツを保存する必要がなくなったときに、自動的に消去または記録ビットレートを変換する（データの圧縮率を変えてデータ量を削減する）といった提案がなされている。この提案では、自動的に消去するときの条件を当該装置に予め設定登録しておき、例えば、複数の視聴予定者のうちの一の者にコンテンツ管理情報の設定や変更をする権利があり、該権利者たる一の者と特定の他の者とが視聴するという第一の条件と、特定の期間が満了しているといった第二の条件との双方が充足されたときには、該当する番組を直ちに自動消去する（特許文献１参照）。
【特許文献１】特開２００４−２０７９３７号公報（段落００２９、図１）
【発明の開示】
【発明が解決しようとする課題】
【０００４】
しかしながら、上述した各既定案の技術思想では、この種のコンテンツ取扱い装置（記録再生装置）の共有者間で、予め設定登録した一の者に当該コンテンツに関する管理情報の設定や変更をする権利を持たせるというのがその原則になっている。このため、該権利者たる一の者と他の者とが調和的に意思の疎通を図りながら、折角取得したコンテンツを平等に享受し、管理しようとしても、この技術に従う場合はそれは適わない。
【０００５】
本発明は上述のような問題に鑑みてなされたものであり、この種のコンテンツ取扱い装置（記録再生装置）の共有者の間で調和的に意思の疎通を図りながら取得したコンテンツを平等に享受し、管理することができるコンテンツ取扱い装置および方法を提供することを目的としている。
【課題を解決するための手段】
【０００６】
上記課題を解決するべく、本願では次に列記するような技術を提案する。
（１）コンテンツに対する記録および再生並びにその他の所定の取扱い操作が可能なコンテンツ取扱い装置であって、適用された情報記録媒体にコンテンツを記録させるコンテンツ記録制御部と、当該情報記録媒体に記録されたコンテンツを選択的に再生するためのコンテンツ再生制御部と、記録されたコンテンツ毎にユーザの入力に基づくテキストによるメッセージを対応させて記録する操作を行うためのメッセージ記録操作部と、当該情報記録媒体に記録されている複数のコンテンツのうち取り扱う対象とする一のものを特定するコンテンツ特定操作によって特定された当該一のコンテンツに対応して記録されているメッセージテキストを再生する操作を行うためのメッセージ再生操作部とを備え、前記メッセージ記録操作部は同一のコンテンツに対して異なる時刻に各別のメッセージテキストを追記可能に該当する機能部を制御するものであり、前記メッセージ再生操作部は同一のコンテンツに対応して記録されている複数のメッセージテキストを同時に提示可能に該当する機能部を制御するものであることを特徴とするコンテンツ取扱い装置。
【０００７】
上記（１）のコンテンツ取扱い装置では、適用された情報記録媒体にコンテンツ記録制御部の制御下で例えば放送受信部で受信する等して取得される放送等のコンテンツを記録させる。この情報記録媒体に記録されたコンテンツをコンテンツ再生制御部の制御下で選択的に再生する。メッセージ記録操作部により、記録されたコンテンツ毎にユーザの入力に基づくテキストによるメッセージを対応させて記録する操作を行う。メッセージ再生操作部によって、当該情報記録媒体に記録されている複数のコンテンツのうち取り扱う対象とする一のものを特定するコンテンツ特定操作によって特定された当該一のコンテンツに対応して記録されているメッセージテキストを再生する操作を行う。茲に、メッセージ記録操作部は、同一のコンテンツに対して異なる時刻に各別のメッセージテキストを追記可能なように該当する機能部を制御し、且つ、前記メッセージ再生操作部は、同一のコンテンツに対応して記録されている複数のメッセージテキストを同時に提示可能なように該当する機能部を制御する。複数のユーザは、各自がメッセージ記録操作部により記録したテキストによるメッセージを、このメッセージ再生操作部の作用で再生して判読し、お互いの状況等をメッセージに基づいて認識することができ、このような認識による相互理解の下にコンテンツを取扱うことができることになる。
【０００８】
（２）前記メッセージ記録操作部は、適用された表示器の画面に、記録されたコンテンツ毎にメッセージテキストの書込み操作を含む取扱い操作の案内表示を行うように、且つ、該案内表示に対応して実行されるメッセージテキストの書込み操作に応答して当該書込み操作に係るメッセージテキストを当該情報記録媒体に記録するように該当する機能部を制御することを特徴とする（１）に記載のコンテンツ取扱い装置。
【０００９】
上記（２）のコンテンツ取扱い装置では、上記（１）のコンテンツ取扱い装置における作用において特に、適用された表示器の画面に、記録されたコンテンツ毎にメッセージテキストの書込み操作を含む取扱い操作の案内表示を行うように、且つ、該案内表示に対応して実行されるメッセージテキストの書込み操作に応答して当該書込み操作に係るメッセージテキストを当該情報記録媒体に記録する。ユーザは案内表示に従って容易にメッセージテキストの書込み操作を行うことができる。
【００１０】
（３）前記メッセージ記録操作部は、日本語の入力と変換を行うための日本語入力・変換部を備えていることを特徴とする（１）に記載のコンテンツ取扱い装置。
上記（３）のコンテンツ取扱い装置では、上記（１）のコンテンツ取扱い装置における作用において特に、メッセージテキストの書込み時に日本語入力・変換部によって日本語の入力と変換が行われる。ユーザが日本語を用いたい場合に便利である。
【００１１】
（４）前記メッセージ記録操作部は、前記案内表示として、コンテンツ毎にメッセージテキストを書込む操作の案内表示と共に当該コンテンツの再生操作および消去操作の案内表示を行うように該当する機能部を制御することを特徴とする（２）に記載のコンテンツ取扱い装置。
【００１２】
上記（４）のコンテンツ取扱い装置では、上記（２）のコンテンツ取扱い装置における作用において特に、ユーザはメッセージテキストを書込む操作の他にも、当該コンテンツの再生操作および消去操作を案内表示に従って的確に行うことができる。
【００１３】
（５）前記メッセージ記録操作部は、前記案内表示として、コンテンツ毎にメッセージテキストを書込む操作の案内表示については、新規の書込み欄および追記用の書込み欄の案内表示を行うように該当する機能部を制御することを特徴とする（２）に記載のコンテンツ取扱い装置。
【００１４】
上記（５）のコンテンツ取扱い装置では、上記（２）のコンテンツ取扱い装置における作用において特に、ユーザは新規の書込み欄および追記用の書込み欄の案内表示に合わせて容易且つ的確にメッセージテキストを書込む操作を行うことができる。
【００１５】
（６）前記コンテンツ再生制御部は、適用された情報記録媒体に記録されている複数のコンテンツを一画面内に夫々代表的に表示すると共に、該夫々の代表的表示毎にメッセージテキストの有無を付帯表示するように該当する機能部を制御することを特徴とする（１）に記載のコンテンツ取扱い装置。
【００１６】
上記（６）のコンテンツ取扱い装置では、上記（１）のコンテンツ取扱い装置における作用において特に、ユーザは、複数のコンテンツが一画面内に夫々代表的に表示されたものについての付帯表示を目安にメッセージテキストの有無を簡単明瞭に認識できる。
【００１７】
（７）適用した情報記録媒体にコンテンツを記録するコンテンツ記録処理と、当該情報記録媒体に記録したコンテンツを選択的に再生するコンテンツ再生処理と、記録したコンテンツ毎にユーザの入力操作に基づくテキストによるメッセージを対応させて記録するメッセージ記録処理と、当該情報記録媒体に記録されている複数のコンテンツのうち取り扱う対象とする一のものを特定するコンテンツ特定操作によって特定された当該一のコンテンツに対応して記録されているメッセージテキストを再生するメッセージ再生処理と、の各処理を実行することを特徴とするコンテンツ取扱い方法。
【００１８】
上記（７）のコンテンツ取扱い方法では、コンテンツ記録処理で、適用した情報記録媒体にコンテンツを記録し、コンテンツ再生処理では、当該情報記録媒体に記録したコンテンツを選択的に再生し、メッセージ記録処理で、記録したコンテンツ毎にユーザの入力操作に基づくテキストによるメッセージを対応させて記録し、メッセージ再生処理では、当該情報記録媒体に記録されている複数のコンテンツのうち取り扱う対象とする一のものを特定するコンテンツ特定操作によって特定された当該一のコンテンツに対応して記録されているメッセージテキストを再生する。複数のユーザは、各自がメッセージ記録処理で記録したテキストによるメッセージを、このメッセージ再生処理で再生して判読し、お互いの状況等をメッセージに基づいて認識することができ、このような認識による相互理解の下にコンテンツを取扱うことができることになる。
【００１９】
（８）前記メッセージ記録処理では、同一のコンテンツに対して異なる時刻に各別のメッセージテキストを追記することを特徴とする（７）に記載のコンテンツ取扱い方法。
上記（８）のコンテンツ取扱い方法では、（７）のコンテンツ取扱い方法による作用において特に、複数のユーザは、同一のコンテンツに対する異なる時刻での各別のメッセージテキストに基づいて、時間差を持ちながらも対話形式で意思の疎通を図り、相互理解の下にコンテンツを取扱うことができることになる。
【００２０】
（９）前記メッセージ再生処理では、同一のコンテンツに対応して記録されている複数のメッセージテキストを同時に提示することを特徴とする（７）に記載のコンテンツ取扱い方法。
上記（９）のコンテンツ取扱い方法では、（７）のコンテンツ取扱い方法による作用において特に、複数のユーザは、同一のコンテンツに関係する他のユーザの状況や、当該コンテンツに対する関係者の状況の推移を知ることができ、そのコンテンツに関係する認識を深めることができる。
【００２１】
（１０）前記メッセージ記録処理では、適用された表示器の画面に、記録されたコンテンツ毎にメッセージテキストの書込み操作を含む取扱い操作の案内表示を行い、且つ、該案内表示に対応して実行されるメッセージテキストの書込み操作に応答して当該書込み操作に係るメッセージテキストを当該情報記録媒体に記録することを特徴とする（７）に記載のコンテンツ取扱い方法。
【００２２】
上記（１０）のコンテンツ取扱い方法では、（７）のコンテンツ取扱い方法による作用において特に、適用された表示器の画面に、記録されたコンテンツ毎にメッセージテキストの書込み操作を含む取扱い操作の案内表示を行うように、且つ、該案内表示に対応して実行されるメッセージテキストの書込み操作に応答して当該書込み操作に係るメッセージテキストを当該情報記録媒体に記録する。ユーザは案内表示に従って容易にメッセージテキストの書込み操作を行うことができる。
【００２３】
（１１）前記メッセージ記録処理では、日本語の入力と変換を行うことを特徴とする（７）に記載のコンテンツ取扱い方法。
上記（１１）のコンテンツ取扱い方法では、（７）のコンテンツ取扱い方法による作用において特に、メッセージテキストの書込み時に日本語の入力と変換が行われる。ユーザが日本語を用いたい場合に便利である。
【００２４】
（１２）前記メッセージ記録処理では、前記案内表示として、コンテンツ毎にメッセージテキストを書込む操作の案内表示と共に当該コンテンツの再生操作および消去操作の案内表示を行うことを特徴とする（１０）に記載のコンテンツ取扱い方法。
【００２５】
上記（１２）のコンテンツ取扱い方法では、（１０）のコンテンツ取扱い方法による作用において特に、ユーザはメッセージテキストを書込む操作の他にも、当該コンテンツの再生操作および消去操作を案内表示に従って的確に行うことができる。
【００２６】
（１３）前記メッセージ記録処理では、コンテンツ毎にメッセージテキストを書込む操作の前記案内表示として、新規の書込み欄および追記用の書込み欄の案内表示を行うことを特徴とする（１０）に記載のコンテンツ取扱い方法。
【００２７】
上記（１３）のコンテンツ取扱い方法では、（１０）のコンテンツ取扱い方法による作用において特に、ユーザは新規の書込み欄および追記用の書込み欄の案内表示に合わせて容易且つ的確にメッセージテキストを書込む操作を行うことができる。
【００２８】
（１４）前記コンテンツ再生処理では、適用された情報記録媒体に記録されている複数のコンテンツを一画面内に夫々代表的に表示すると共に、該夫々の代表的表示毎にメッセージテキストの有無を付帯表示することを特徴とする（７）に記載のコンテンツ取扱い方法。
【００２９】
上記（１４）のコンテンツ取扱い方法では、（７）のコンテンツ取扱い方法による作用において特に、ユーザは、複数のコンテンツが一画面内に夫々代表的に表示されたものについての付帯表示を目安にメッセージテキストの有無を簡単明瞭に認識できる。
【００３０】
（１５）前記メッセージ記録処理では、リモートコントローラを用いて入力操作されたテキストによるメッセージを記録することを特徴とする（７）に記載のコンテンツ取扱い方法。
【００３１】
上記（１５）のコンテンツ取扱い方法では、（７）のコンテンツ取扱い方法による作用において特に、入力操作に適したリモートコントローラを用いて入力操作されたテキストによるメッセージを記録するため、ユーザの操作が容易になる。
【発明を実施するための最良の形態】
【００３２】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのコンテンツ取扱い装置を表すブロック図である。図１のコンテンツ取扱い装置１００は、一般的なＨＤＤ／ＤＶＤレコーダーと同様に、記録系の構成として、アンテナ１１１やケーブル（不図示）を経て放送受信部１１２で受信された放送コンテンツの映像・音声をデジタル化するＡ／Ｄ変換部１１３、このＡ／Ｄ変換部１１３でデジタル化された映像・音声をＭＰＥＧ２圧縮する映像・音声圧縮部１１４を備えている。
【００３３】
更に、映像・音声圧縮部１１４で圧縮されたコンテンツ（映像・音声）や後述するメッセージテキストやその他の情報を格納する、例えばＨＤＤやＤＶＤ駆動装置を含んで構成される映像・音声・テキスト記録部１１５が設けられている。
また、再生系は、映像・音声・テキスト記録部１１５に格納されている情報（ＭＰＥＧ２圧縮されたデータ）をＭＰＥＧ２伸張する映像・音声伸長部１２１、この映像・音声伸長部１２１でＭＰＥＧ２伸長されたデジタルデータをテキスト表示バッファ１２２経由で供給されるグラフィック画面（テキスト表示）と合成する映像合成部１２３、この映像合成部１２３合成されたデジタルデータをアナログ映像・音声信号に変換するＤ／Ａ変換部１２４を含んで構成され、放送コンテンツの録画・再生動作を可能にしている。Ｄ／Ａ変換部１２４の出力は、例えば外部のテレビジョン受像機２００等の表示装置に供給され、ここで映像・音声、並びに、後述するメッセージテキストやその他の情報が映像表示乃至発音出力される。
【００３４】
一方、リモコン受光部１３１はリモートコントローラ（以下、リモコン）１３０を通してのユーザからのリモコン操作指令を受信し、該受信したリモコン操作指令を、マイクロプロセッサを主体に構成されたシステムコントローラ１５０に伝送する。システムコントローラ１５０はユーザからの操作指令に応じた所定の制御動作を実行すると共に、本コンテンツ取扱い装置１００の系全体を統括的に制御する。
【００３５】
即ち、システムコントローラ１５０は、自己の該当する機能部とこの機能部に関連する本コンテンツ取扱い装置１００内の該当する機能部との連携によって、適用された情報記録媒体にコンテンツを記録させるコンテンツ記録制御部を構成し、また、当該情報記録媒体に記録されたコンテンツを選択的に再生するためのコンテンツ再生制御部を構成し、更に、記録されたコンテンツ毎にユーザの入力に基づくテキストによるメッセージを対応させて記録する操作を行うためのメッセージ記録操作部を構成し、更にまた、当該情報記録媒体に記録されている複数のコンテンツのうち取り扱う対象とする一のものを特定するコンテンツ特定操作によって特定された当該一のコンテンツに対応して記録されているメッセージテキストを再生する操作を行うためのメッセージ再生操作部を構成する。
【００３６】
本発明の実施の形態では、メッセージ記録操作部は同一のコンテンツに対して異なる時刻に各別のメッセージテキストを追記可能に該当する機能部を制御し、また、メッセージ再生操作部は同一のコンテンツに対応して記録されている複数のメッセージテキストを同時に提示可能に該当する機能部を制御する。
複数のユーザは、各自がメッセージ記録操作部により記録したテキストによるメッセージを、このメッセージ再生操作部の作用で再生して判読し、お互いの状況等をメッセージに基づいて認識することができ、このような認識による相互理解の下にコンテンツを取扱うことができることになる。
【００３７】
一方、本例では、リモコン１３０は、これを用いてユーザが日本語でのメッセージテキストの入力操作を行うことができる。入力操作に適したリモートコントローラを用いて入力操作されたテキストによるメッセージを記録するため、ユーザの操作が容易になる。
本発明の実施の形態では、特に、ユーザによるメッセージテキストの入力操作を受け付ける機能部として日本語入力・変換部１６１を備えている。この日本語入力・変換部１６１を通して入力されるメッセージテキストが、放送受信部１１２で受信され、映像・音声・テキスト記録部１１５に記録された各放送コンテンツ録画に夫々対応付けられて、記録、再生が可能に構成されている。上述のように、メッセージテキストの書込み時に日本語入力・変換部によって日本語の入力と変換が行われるため、ユーザが日本語を用いたい場合に便利である。
【００３８】
図２は、図１のコンテンツ取扱い装置におけるユーザインターフェイス機能を説明するための図である。
図２（ａ）は図１のコンテンツ取扱い装置１００によって表示装置としてのテレビジョン受像機２００の画面に映出されるコンテンツナビゲーション機能のユーザインターフェイス画面を表す図である。図示されたところから理解される通り、上述のコンテンツ再生制御部は、適用された情報記録媒体に記録されている複数のコンテンツを一画面内に夫々代表的に表示すると共に、該夫々の代表的表示毎にメッセージテキストの有無を付帯表示するように該当する機能部を制御する。ユーザは、複数のコンテンツが一画面内に夫々代表的に表示されたものについての付帯表示を目安にメッセージテキストの有無を簡単明瞭に認識できる。
【００３９】
図２（ａ）において、画面上に表示される６つの録画されたコンテンツはそれぞれに番組名やジャンル名といった付帯情報を伴っており、一例としてメッセージテキストの件数が表示されている。ここで、リモコン操作（例えばリモコン１３０の選択操作部に対する操作）により、ドラマＡが選択された場合には、図２（ｂ）の表示へ移行する。このメニュー表示は、ドラマＡに対して選択的に実行可能な操作の一覧である。
【００４０】
メッセージテキストを登録する場合には図２（ｃ）のように「メッセージ」の表示にカーソルを移動してこれを選択する。図示のように、この選択がされた機能が反転表示される。また、図示のように、「メッセージ」の他にも「番組再生」、「番組消去」等々を選択可能になされている。ユーザはメッセージテキストを書込む操作の他にも、当該コンテンツの再生操作および消去操作を案内表示に従って的確に行うことができる。
【００４１】
即ち、この実施の形態のコンテンツ取扱い装置では、特に、適用された表示器（テレビジョン受像機２００）の画面に、記録されたコンテンツ（図２では、Ａ，Ｂ，Ｃ，Ｄ，E、Ｆ）毎にメッセージテキストの書込み操作を含む取扱い操作の案内表示がなされる。
ユーザが、この取扱い操作の案内表示に即して、メッセージテキストの書込み操作を行うと、この書込み操作に係るメッセージテキストが当該情報記録媒体（映像・音声・テキスト記録部１１５に適用された例えばＤＶＤ等）に記録される。このように、ユーザは案内表示に従って容易にメッセージテキストの書込み操作を行うことができる。
【００４２】
図３は、図１のコンテンツ取扱い装置におけるメッセージテキスト登録のためのユーザインターフェイスを説明するための図である。
コンテンツ共有メンバーである複数のユーザのうちのユーザＡが図３（ａ）の画面で「登録」ボタンを選択すると、（１）のテキストボックスに日本語入力が可能になる。この状態で、リモコン１３０を用いてユーザが日本語でのメッセージテキストの入力操作を行って内容を確定すると、図３（ｂ）の画面のようにメッセージテキスト件数が表示される（画面左下の「１件中１件目」）。
【００４３】
また、別のタイミングで、他のコンテンツ共有メンバーであるユーザＢがユーザＡへ返信メッセージテキスト登録するには、図３（ｂ）の画面で「登録」ボタンを選択し、同様に（２）のテキストボックスにメッセージテキストを入力し、確定すればよい。この結果、図３（ｃ）の画面表示となる。更にメッセージテキストを登録するには、上述したところと同様に「登録」の手順を繰り返せばよい。
【００４４】
即ち、メッセージ記録操作部は、前記案内表示として、コンテンツ毎にメッセージテキストを書込む操作の案内表示については、新規の書込み欄および追記用の書込み欄の案内表示を行うように該当する機能部を制御する。このため、ユーザは新規の書込み欄および追記用の書込み欄の案内表示に合わせて容易且つ的確にメッセージテキストを書込む操作を行うことができる。
【００４５】
図３ （ｄ）はメッセージテキストを消去する場合の画面である。「消去」ボタンを選択し、更に、消去するメッセージテキスト選択すると「メッセージを消去しますか？」という確認表示がされる。ここで「はい」を選択すると選択したメッセージテキストが消去される。
この結果、図３（ｅ）の画面表示となる。ここで「戻る」ボタンを選択すれば図２（ａ）のコンテンツナビゲーション画面へと復帰することができる。
【００４６】
尚、上述における「削除」ボタンに準じた「修正」ボタンを設け、メッセージテキストの修正が許容されるようにしてもよいことは勿論である。
以上を総じて、本発明の実施の形態では、複数のユーザは、各自がメッセージ記録処理で記録したテキストによるメッセージを、メッセージ再生処理で再生して判読し、お互いの状況等をメッセージに基づいて認識することができ、このような認識による調和的な相互理解の下にコンテンツを取扱うことができることになる。
【図面の簡単な説明】
【００４７】
【図１】本発明の実施の形態としてのコンテンツ取扱い装置を表すブロック図である。
【図２】図１のコンテンツ取扱い装置におけるユーザインターフェイス機能を説明するための図である。
【図３】図１のコンテンツ取扱い装置におけるメッセージテキスト登録のためのユーザインターフェイスを説明するための図である。
【符号の説明】
【００４８】
１００…コンテンツ取扱い装置  １１１…アンテナ  １１２…放送受信部  １１３…Ａ／Ｄ変換部  １１４…映像・音声圧縮部  １１５…映像・音声・テキスト記録部  １２１…映像・音声伸長部  １２２…テキスト表示バッファ  １２３…映像合成部  １２４…Ｄ／Ａ変換部    １３０…リモートコントローラ  １３１…リモコン受光部  １５０…システムコントローラ  １６１…日本語入力・変換部  ２００…テレビジョン受像機
【図１】
2006287670.tif 000003
【図２】
2006287670.tif 000004
【図３】
2006287670.tif 000005